(57)【要約】【課題】  剣道の修練者の身体を保護するための面，垂，胴に関する剣道防具を修練者の身体に迅速かつ容易に，そして堅固に着装できるようにする剣道防具の着装具を提供する。【解決手段】  面に具備された一対の面紐と，垂に具備された一対の腰紐と，胴に具備された一対の腰紐に結合し，面，胴，垂の防具を修練者の身体に着装させるための着装具であって，上記着装具は，本体１１１，２１１の一側に紐が結合される紐結合部１１２，２１２が具備され他側に保持台１１３，２１３により保持される弾性片１１４，２１４が具備する雄バックル１１０，２１０と，本体１２１，２２１の一側に紐が結合される紐結合部１２２，２２２が具備され他側に雄バックル１１０，２１０の弾性片１１４，２１４を着脱自在に収納する収納部１２３，２２３が具備された雌バックル１２０，２１０を含む。【選択図】    図５ｅ
2005211658.tif 000002
【特許請求の範囲】
【請求項１】
剣道の修練者の身体を保護するために面に具備された一対の面紐と，垂に具備された一対の腰紐と，胴に具備された一対の腰紐とに少なくとも結合し，少なくとも面，胴，または垂の剣道防具を修練者の身体に着装するために用いられる剣道防具の着装具であって：
一側に紐が結合する紐結合部を有し，他側に弾性片を保持する保持台を有する雄バックルと；
一側に紐が結合する紐結合部を有し，他側に前記雄バックルに備わる前記弾性片を着脱自在に収納する収納部を有する雌バックルとを含み，
前記雄バックルの紐結合部には該雄バックルの一側面及び下部に雄バックル貫通孔が各々形成され，前記雌バックルの紐結合部には該雌バックルの一側面及び下部に雌バックル貫通孔が各々形成され，該一側面及び下部に形成された雄バックル貫通孔及び雌バックル貫通孔のうち該下部に形成された雄バックル貫通孔及び雌バックル貫通孔は，結び目が作られた紐を通すことが可能な大きさに形成され，該一側面に形成された雄バックル貫通孔及び雌バックル貫通孔は，該紐を通すことが不可能な大きさに形成されることを特徴とする，剣道防具の着装具。
【請求項２】
剣道の修練者の身体を保護するために面に具備された一対の面紐と，垂に具備された一対の腰紐と，胴に具備された一対の腰紐とに少なくとも結合し，少なくとも面，胴，または垂の剣道防具を修練者の身体に着装するために用いられる剣道防具の着装具であって：
一側に紐が結合する紐結合部を有し，他側に弾性片を保持する保持台を有する雄バックルと；
一側に紐が結合する紐結合部を有し，他側に前記雄バックルに備わる前記弾性片を着脱自在に収納する収納部を有する雌バックルとを含み，
前記雄バックルの紐結合部には該雄バックルの二側面及び下部に雄バックル貫通孔が各々形成され，前記雌バックルの紐結合部には該雌バックルの二側面及び下部に雌バックル貫通孔が各々形成され，該二側面及び下部に形成された雄バックル貫通孔及び雌バックル貫通孔のうち前記下部に形成された雄バックル貫通孔及び雌バックル貫通孔は，結び目が作られた紐１１が収められる大きさで形成され，前記二側面に形成された雄バックル貫通孔及び雌バックル貫通孔は，結び目が作られた紐が通ることが不可能な大きさで形成されることを特徴とする，剣道防具の着装具。
【請求項３】
前記二側面に形成された雄バックル貫通孔及び雌バックル貫通孔の下部は，前記紐を容易に挟めるように一部が切開されていることを特徴とする，請求項２に記載の剣道防具の着装具。
【請求項４】
前記雄バックルと雌バックルには各々紐を挟んで紐固定用楔により固定される開口部が形成されることを特徴とする，請求項１又は２に記載の剣道防具着装具。
【請求項５】
前記開口部には，楔を有する本体に形成された弾性片の移動を案内する案内爪と；
前記弾性片に形成された係止突起を固定する係止溝とが形成されることを特徴とする，請求項４に記載の剣道防具の着装具。
【請求項６】
前記剣道防具の着装具には，胴に具備された一対の胴紐がそれぞれ結合される紐結合部と；
前記胴の留革に着脱自在に嵌合される楕円形のボタンがそれぞれ独立して回転自在にヒンジで結合された胴紐着装具とが，さらに備わることを特徴とする，請求項１又は２に記載の剣道防具の着装具。
【請求項７】
前記紐結合部は前後に貫通する貫通孔の上部保持台に胴紐が挟まれるように上下に貫通する貫通孔が形成され，該貫通孔はその後部が一部切開され胴紐の挿入が容易であることを特徴とする，請求項６に記載の剣道防具の着装具。
【発明の詳細な説明】
【技術分野】
【０００１】
本発明は，剣道防具の着装具に関する。
【背景技術】
【０００２】
防具は剣道修練時相手側の攻撃から身体を保護するために着装する道具であって，この防具は修練者の頭と肩を保護するための面，腰と胸を保護するための胴，下半身を保護するための垂，手首を保護するための甲手などに区分される。
【０００３】
防具は上着と下着よりなる道服上に，垂，胴，頭巾，面，甲手の順に着装されるが，ユーザはこの防具を体に正しく着装して練習中に解けないように注意すべきである。
【０００４】
図１は通常に使用される面の正面図であり，図２は垂の正面図であり，図３は胴の正面図である。
【０００５】
図１〜図３に示されているように，面１０と垂２０及び胴３０には身体固定のための紐が具備されているが，面１０には一対の面紐１１が，垂２０には一対の腰紐２１が，胴３０には一対の胴紐３１と一対の腰紐３２が具備されている。
【０００６】
防具を着装するためには，修練者はまず垂２０を腰に当てて垂腰紐２１を腰の後ろに一度回して前方で蝶結びして身体の腰に締め付け，その後胴３０を胸に当てて左右の胴紐３１を背中で交差させ肩の向こうに胴３０の左右留革３３に結び，腰紐３２を背中の後ろから蝶結び目をつくって胴３０が身体の胸に締め付けられるようにする。その後，頭巾を頭に着用してから，頭に面１０を被せて密着して面紐１１を引っ張って締め付けてから後頭部で蝶結びして面１０を頭に固定させるが，この際蝶結びした面紐１１の長さが左右均等に約４０ｃｍになるよう合わせる。前記過程を通じて垂２０，胴３０，面１０が着装されれば修練者は最後に甲手（図示せず）を左側甲手と右側甲手の順に着装した後修練を行なう。
【０００７】
しかし，前述したように垂２０，胴３０，面１０は全て修練者の身体に密着させ紐で結んで固定させるべきなので，その着装過程が複雑であり長時間かかる煩わしさがあった。また，前記防具が防具各々に取付けられた紐で身体にしっかり結ばれていない場合激烈な修練中に紐が解かれて安全事故が発生する恐れがあり，紐が解けるとこの紐を再び縛るべき煩わしさがあった。特に，子供や老弱者の場合紐を堅固に結びがたくて修練を指導する先生が直接に防具を修練者に一々着装させている実情である。
【発明の開示】
【発明が解決しようとする課題】
【０００８】
本発明は，上記問題点に鑑みてなされたものであり，本発明の目的は，身体を保護するための面，垂，または胴の剣道防具を身体に迅速かつ容易に着装又は着脱可能な剣道防具の着装具を提供することである。
【課題を解決するための手段】
【０００９】
上記課題を解決するため，本発明の第１の観点によれば，  前述した目的を達成するための本発明に係る剣道防具の着装具は，剣道修練時修練者の身体を保護するために面に具備された一対の面紐と，垂に具備された一対の腰紐と，胴に具備された一対の腰紐などに結合され面，胴，垂などの防具を修練者の身体に着装させるためのもので，本体の一側に紐が結合される紐結合部が具備され他側に保持台により保持される弾性片が具備された雄バックルと，本体の一側に紐が結合される紐結合部が具備され他側に前記雄バックルの弾性片を着脱自在に収める収納部が具備された雌バックルとを含んでなされる。
【００１０】
前記雄バックルと雌バックルの紐結合部には本体の内側を連通して一側及び下部が外部に開放された貫通孔が形成され，前記貫通孔は結び目の作られた紐が本体の下部に形成された貫通孔を通過し，一側に形成された貫通孔を通過できないサイズに形成されることが望ましい。
【００１１】
前記雄バックルと雌バックルの下側にはそれぞれ紐が収納され楔を着脱自在に固定させる開口部が形成される。
【００１２】
また，前記防具着装具には胴に具備された一対の胴紐がそれぞれ結合される紐結合部と，前記胴の留革に着脱自在に嵌合される楕円形のボタンを含んでなされる胴紐着装具がさらに具備される。
【００１３】
上記課題を解決するために，本発明の別の観点によれば，剣道防具の着装具が提供される。上記剣道防具の着装具は，剣道修練時修練者の身体を保護するために面に具備された一対の面紐と，垂に具備された一対の腰紐と，胴に具備された一対の腰紐などに結合され面，胴，垂などの防具を修練者の身体に着装させるためのもので，当該剣道防具の着装具において，本体（１１１），本体（２１１）の一側に紐が結合される紐結合部（１１２），紐結合部（２１２）が具備され，他側に保持台（１１３），保持台（２１３）により保持される弾性片（１１４），弾性片（２１４）が具備された雄バックル（１１０），雄バックル（２１０）と，本体（１２１），本体（２２１）の一側に紐が結合される紐結合部（１２２），紐結合部（２２２）が具備され他側に前記雄バックル（１１０），雄バックル（２１０）の弾性片（１１４），弾性片（２１４）を着脱自在に収納する収納部（１２３），収納部（２２３）が具備された雌バックル（１２０），雌バックル（２１０）を含んでなされ，前記紐結合部（１１２），紐結合部（１２２）には本体（１１１），本体（１２１）の内側を連通して一側及び下部が外部に開放された貫通孔（１１２ａ，１１２ｂ），貫通孔（１２２ａ，１２２ｂ）が形成され，該貫通孔（１１２ａ，１１２ｂ），貫通孔（１２２ａ，１２２ｂ）は結び目が作られた紐（１１）が本体（１１１），本体（１２１）の下部に形成された貫通孔（１１２ｂ），貫通孔（１２２ｂ）を通過し，一側に形成された貫通孔（１１２ａ），貫通孔（１２２ａ）を通過できないサイズで形成されることを特徴としている。
【００１４】
上記課題を解決するために，本発明の別の観点によれば，剣道防具の着装具が提供される。上記剣道防具の着装具は，剣道修練時修練者の身体を保護するために面に具備された一対の面紐と，垂に具備された一対の腰紐と，胴に具備された一対の腰紐などに結合され面，胴，垂などの防具を修練者の身体に着用させるためのもので，剣道防具の着装具において，本体（１１１），本体（２１１）の一側に紐が結合される紐結合部（１１２），紐結合部（２１２）が具備され，他側に保持台（１１３），保持台（２１３）により保持される弾性片（１１４），弾性片（２１４）が具備された雄バックル（１１０），雄バックル（２１０）と，本体（１２１），本体（２２１）の一側に紐が結合される紐結合部（１２２），紐結合部（２２２）が具備され，他側に前記雄バックル（１１０），雄バックル（２１０）の弾性片（１１４），弾性片（２１４）を着脱自在に収める収納部（１２３），収納部（２２３）が具備された雌バックル（１２０），雌バックル（２１０）とを含んでなされ，前記紐結合部（１１２），紐結合部（１２２）には本体（１１１），本体（１２１）の内側を連通して側部及び下部が外部に開放された貫通孔（１１２ａ，１１２ｂ，１１２ｃ），貫通孔（１２２ａ，１２２ｂ，１２２ｃ）が形成され，前記下部が開放された貫通孔（１１２ｂ），貫通孔（１２２ｂ）は結び目が作られた紐（１１）が収められるサイズで形成され，両側の貫通孔（１１２ａ，１１２ｃ），貫通孔（１２２ａ，１２２ｃ）は結び目が作られた紐（１１）が引っ掛かって通過できないサイズで形成されることを特徴としている。
【００１５】
上記本体（１１１），本体（１２１）の両側に形成された貫通孔（１１２ａ，１１２ｃ），貫通孔（１２２ａ，１２２ｃ）の下部は紐（１１）を容易に挟めるように一部が切開されるように構成してもよい。
【００１６】
上記雄バックル（１１０）と雌バックル（１２０）の下側には各々紐（１１）が挟まれて紐固定用楔（１３０）により固定される開口部（１１７），開口部（１２７）が形成されるように構成してもよい。
【００１７】
上記開口部（１１７），開口部（１２７）には楔（１３０）の本体（１３１）に形成された弾性片（１３２）の移動を案内する案内爪（１１８），案内爪（１２８）と，前記楔（１３０）の弾性片（１３２）に形成された係止突起（１３３）を固定させる係止溝（１１９），係止溝（１２９）が形成されるように構成してもよい。
【００１８】
上記剣道防具の着装具には胴（３０）に具備された一対の胴紐（３１）がそれぞれ結合される紐結合部（３１１）と，前記胴（３０）の留革（３３）に着脱自在に嵌合される楕円形のボタン（３１２）がそれぞれ独立して回転自在にヒンジ（３１３）で結合された胴紐着装具（３１０）がさらに備えられるように構成してもよい。
【００１９】
上記紐結合部（３１１）は前後に貫通された貫通孔（３１１ａ）の上部保持台に胴紐（３１）が挟まれるように上下に貫通する貫通孔（３１１ｂ）が形成され，該貫通孔（３１１ｂ）はその後部が一部切開され胴紐（３１）の挿入を容易にできるように構成してもよい。
【発明の効果】
【００２０】
以上説明したように，本発明によれば，剣道防具の着装具によって，剣道を修練する修練者の身体を保護するための面，胴，垂などの防具を雄バックルと雌バックルの留め及び外しを通じて修練者の身体に迅速かつ容易に着装及び分離することが可能となり，防具の身体への着装時しっかり固定され練習中に防具が修練者の身体から外されることを防止できる。
【００２１】
また，剣道防具の着装具のうち面着装具を使用して面を修練者の頭に着装する場合も，面着装時の頭の後ろから面紐を手で結び目を作った蝶結びの形態を従来通りの形態でそのまま維持できて面着装の便利さと共に美感を維持できる効果がある。
【００２２】
また，胴着装具のうち胴紐着装具によって，ボタンを胴の留革に嵌め込んだり，外したりと簡単な動作によって胴を修練者の身体に容易かつ堅固に着装可能となる。
【発明を実施するための最良の形態】
【００２３】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２４】
本発明の実施例による剣道防具の着装具は面を着装するための面着装具，垂を着装するための垂着装具，胴を着装するための胴着装具よりなるが，以下では面着装具，垂着装具，胴着装具の順に説明する。
【００２５】
（面着装具について）
図４ａは，本発明の第１の実施形態に係る防具着装具のうち面着装具の分離斜視図であり，図４ｂは第１の実施形態に係る面着装具が結合した状態の概略を示す結合斜視図であり，図４ｃは第１の実施形態に係る面着装具に紐が一部挟まれた状態の概略を示す背面斜視図であり，図４ｄは，図４ｂに示すＡ−Ａ線断面図であり，図４ｅは第１の実施形態に係る面着装具を実際に使用した状態の概略を示す説明図である。
【００２６】
図４ａ〜図４ｅに示すように，第１の実施形態に係る面着装具１００は一対の面紐１１に一側がそれぞれ連結され，他側が相互着脱自在に結合される雄バックル１１０と雌バックル１２０を含んで構成される。
【００２７】
前記雄バックル１１０の本体１１１の一側には面紐１１が結合される紐結合部１１２が備わり，本体１１１の他側には保持台１１３により保持される弾性片１１４が備わる。前記弾性片１１４の上部には雌バックル１２０との結合を保持する係止突起１１５と，該係止突起１１５と雌バックル１２０との結合を分離させる取外しボタン１１６が備わる。
【００２８】
また，雄バックル１１０の本体１１１の下側には楔１３０が着脱自在である開口部１１７が形成されるが，この開口部１１７に結合される楔１３０は本体１３１の両側に弾性片１３２が備わり，この弾性片１３２の先部（又は，先端部）に係止突起１３３が形成される。
【００２９】
前記楔１３０が結合される開口部１１７には楔１３０の結合及び／又は分離を案内する（ガイドする）案内爪１１８が内部両側に形成され，前記楔１３０の係止突起１３３を固定する係止溝１１９が両側の内外側を貫通して形成される。
【００３０】
前記楔１３０を開口部１１７から分離させようとする場合は係止溝１１９に係着された係止突起１３３を係止解除するため，開口部１１７の内側（中心方向）に押圧しつつ楔１３０を下側に引っ張るとよい。
【００３１】
前記雌バックル１２０の本体１２１の一側には面紐１１が結合される紐結合部１２２が具備され，本体１２１の他側には雄バックル１１０の弾性片１１４が収納され固定される収納部１２３が形成されるが，この収納部１２３の内側には雄バックル１１０の弾性片１１４の収納時弾性片１１４の係止突起１１５と対応する位置に係止爪１２４が形成され係止突起１１５を固定する。
【００３２】
前記収納部１２３の上部には雄バックル１１０との結合時，雄バックル１１０の取外しボタン１１６が外部に突出できるように半円形の開放空間が形成される。また，前記雌バックル１２０の下側には雄バックル１１０と同様に，楔１３０の結合及び分離を案内する案内爪１２８と楔１３０の係止突起１３３を固定させる係止溝１２９が形成された開口部１２７が具備される。
【００３３】
前記雄バックル１１０と雌バックル１２０に具備された紐結合部１１２，紐結合部１２２には面紐１１が嵌着される貫通孔（１１２ａ，１１２ｂ），貫通孔（１２２ａ，１２２ｂ）が形成されるが，この貫通孔（１１２ａ，１１２ｂ），貫通孔（１２２ａ，１２２ｂ）は本体１１１，本体１２１の内側と連結されるように，本体１１１，本体１２１の一側及び下部に形成される。
【００３４】
上記の際，前記紐結合部１１２，紐結合部１２２の貫通孔（１１２ａ，１１２ｂ），貫通孔（１２２ａ，１２２ｂ）は，図４ｃ及び図４ｄに示したように，下部の貫通孔１１２ｂ，貫通孔１２２ｂが一側の貫通孔１１２ａ，貫通孔１２２ａよりも大きく形成され，結び目が作られた面紐１１が下部貫通孔１１２ｂ，貫通孔１２２ｂを通過し，一側貫通孔１１２ａ，貫通孔１２２ａは通過できないようにして面紐１１を一側貫通孔１１２ａ，貫通孔１２２ａに係着させる。
【００３５】
前述したような構成よりなる面着装具１００の場合，一対の面紐１１がそれぞれ雄バックル１１０と雌バックル１２０に形成された紐結合部１１２，紐結合部１２２の貫通孔（１１２ａ，１１２ｂ），貫通孔（１２２ａ，１２２ｂ）に挟み込まれた状態で修練者の頭身体条件（例えば，頭の周囲の長さなど）に合わせて下部貫通孔１１２ｂ，貫通孔１２２ｂの外側で面紐１１にそれぞれ結び目を作って面紐１１が下部貫通孔１１２ｂ，貫通孔１２２ｂを通過して結び目がそれぞれ雄バックルと雌バックルの内部に収められた状態で一側貫通孔１１２ａ，貫通孔１２２ａを通過できないようにして固定させる。
【００３６】
上記固定後，面紐１１の残り部分のうち略４０ｃｍほどが下部に垂れられるように楔１３０を通じて面紐１１を開口部１１７，開口部１２７に嵌合するようになる。その後，面１０を頭に被せて前記雄バックル１１０と雌バックル１２０を結合すれば面１０が頭に着装され，一対の面紐１１がそれぞれ雄バックル１１０及び雌バックル１２０の開口部１１７，開口部１２７を通じて下部に４０ｃｍほど延伸することにより紐で蝶結びすることと同様な美感を維持できるようになる。
【００３７】
（面着装具）
図５ａは本発明の第２の実施形態による面着装具の分離斜視図であり，図５ｂは第２の実施形態に係る面着装具を結合した状態の概略を示す結合斜視図であり，図５ｃは第２の実施形態に係る面着装具に紐が一部挟まれた状態を示す背面斜視図であり，図５ｄは図５ｂのＢ−Ｂ線断面図である。また，図５ｅは面着装具の使用状態の概略を示す説明図であり，図５ｆは図５ｅのｃ部拡大図であり，図５ｇは図５ｅにおいて面着装具が結合された状態を示す説明図である。
【００３８】
図５ａ〜図５ｇに示したように，本発明の第２の実施形態による面着装具１００も面紐１１に連結され相互着脱自在に結合される雄バックル１１０と雌バックル１２０を含んでなされる。
【００３９】
前記雄バックル１１０の本体１１１の一側には紐結合部１１２が具備され，他側には係止突起１１５及び取外しボタン１１６が上段に具備された弾性片１１４が保持台１１３により保持される。
【００４０】
また，雄バックル１１０の本体１１１の下側には楔１３０の結合及び／又は分離を案内（ガイド）する案内爪１１８と楔１３０の本体１３１の一側に形成された弾性片１３２の係止突起１３３を固定させる係止溝１１９が形成された開口部１１７が備わる。本発明の第２の実施形態において前記開口部１１７に結合される楔１３０は図４ａに示す第１の実施形態に係る着装具等とは異なり，本体１３１の一側だけ弾性片１３２及び係止突起１３３が形成され開口部１１７に結合された状態をさらに堅固に維持できるようになっている。
【００４１】
また，前記楔１３０の内側端部は鋸の歯状に凹凸部が形成されて挟まれた紐との摩擦力を高め，開口部１１７に挟まれた紐の流動を防止する。
【００４２】
一方，前記雌バックル１２０の本体１２１の一側には紐結合部１２２が具備され，他側には雄バックル１１０の弾性片１１４を収納して固定させる係止爪１２４が形成された収納部１２３が具備される。
【００４３】
また，この雌バックル１２０の下側にも雄バックル１１０と同様に，楔１３０の結合及び／又は分離を案内（ガイド）する案内爪１２８と楔１３０の係止突起１３３を固定させる係止溝１２９が形成される開口部１２７が具備される。
【００４４】
前記雄バックル１１０と雌バックル１２０に具備された紐結合部１１２，紐結合部１２２には面紐１１が貫通する貫通孔（１１２ａ，１１２ｂ，１１２ｃ），貫通孔（１２２ａ，１２２ｂ，１２２ｃ）が形成されるが，この貫通孔（１１２ａ，１１２ｂ，１１２ｃ），貫通孔（１２２ａ，１２２ｂ，１２２ｃ）は本体１１１，本体１２１の内側と連通されるよう本体１１１，本体１２１の側部及び下部に形成される。
【００４５】
本体１１１，１２１の側部に形成された双方の貫通孔（１１２ａ，１１２ｃ），貫通孔（１２２ａ，１２２ｃ）の下部は面紐１１を挟みやすいように，切開されている。
【００４６】
前記本体１１１，１２１の下部に形成された貫通孔１１２ｂ，１２２ｂは面紐１１の結び目を収められるサイズで形成され，側部に形成された貫通孔（１１２ａ，１１２ｃ），貫通孔（１２２ａ，１２２ｃ）は通常の面紐１１は通過し，結びの目が作られた面紐１１は通過できないサイズで形成され，結びの目が作られた面紐１１の結び目は下部の貫通孔１１２ｂ，貫通孔１２２ｂに収容され，この結び目の両側はそれぞれ切開された側部貫通孔（１１２ａ，１１２ｃ），貫通孔（１２２ａ，１２２ｃ）に挟み込まれることによって面紐１１に雌雌バックル１２０・雄バックル１１０の設置が済む。
【００４７】
これをさらに纏めると，一対の面紐１１を各々修練者の頭条件に合わせて適正位置に結び目を作り，結び目が作られた部分を下部の貫通孔１１２ｂ，貫通孔１２２ｂに挟み込み，この結び目の両側をそれぞれ側部の切開された貫通孔（１１２ａ，１１２ｃ），貫通孔（１２２ａ，１２２ｃ）に挟み込めば良い。
【００４８】
その後，面紐１１の残り部分を適正な長さになるよう整えて楔１３０を使って開口部１１７，開口部１２７に挟み込んで蝶結びで整え，図５ｅ〜図５ｇに示したように，面１０を被せて前記雄バックル１１０と雌バックル１２０を結合すれば面１０を容易く着装でき，雌バックル１２０・雄バックル１１０の分離動作により着装された面１０を迅速に脱げる。
【００４９】
（垂着装具）
図６ａは，本発明の第３の実施形態による垂着装具の分離斜視図であり，図６ｂは第３の実施形態による垂着装具の概略を示す結合斜視図であり，図６ｃは第３の実施形態による垂着装具の使用状態を示す説明図である。
【００５０】
図６ａ〜図６ｃに示すように，垂着装具２００は腰紐２１に各々連結され相互着脱自在に結合する雄バックル２１０と雌バックル２２０を含んでなされる。
【００５１】
前記雄バックル２１０の本体２１１の一側には垂腰紐２１が結合される紐結合部２１２が具備され，本体２１１の他側には雌バックル２２０との結合を保持する係止突起２１５と該係止突起２１５と雌バックル２２０の留めを分離させる取外しボタン２１６が形成された弾性片２１４が保持台２１３により保持されている。
【００５２】
前記雌バックル２２０の本体２２１の一側には垂腰紐２１が結合する紐結合部２２２が具備され，本体２２１の他側には雄バックル２１０の弾性片係止突起２１５を固定させる係止溝（図示せず。）が形成された収納部２２３が具備される。
【００５３】
第３の実施の形態において，前記垂着装具２００の雄バックル２１０と雌バックル２２０に具備された紐結合部２１２，紐結合部２２２には垂腰紐２１が長手方向に略半分に折られて通過する２列の貫通孔が形成されるが，前記略半分に折られた垂腰紐２１は２列の貫通孔を通過しつつ摩擦力により固着し，前記垂腰紐２１が貫通孔を通過時，垂腰紐２１の残り部分がバックルの内側方向で整えられる。
【００５４】
また，上記略半分に折られた垂腰紐２１の折られた部分が解けることを防止するために垂腰紐２１の折られる部位は合成樹脂材質よりなって２列の貫通孔を有する調節具２３０に挿着される。
【００５５】
（垂着装具）
図７ａは，本発明の第４の実施形態による垂着装具の分離斜視図であり，図７ｂは垂着装具の結合斜視図である。
【００５６】
図７ａ及び図７ｂに示すように，本発明の第４の実施形態に係る垂着装具２００も腰紐２１にそれぞれ連結され相互着脱自在に結合される雄バックル２１０と雌バックル２２０を含んで構成される。
【００５７】
前記雄バックル２１０の本体２１１の一側には垂腰紐２１が結合される紐結合部２１２が具備され，本体２１１の他側には雌バックル２２０と結合される係止突起２１５が形成された弾性片２１４が保持台２１３により支持される。
【００５８】
上記雌バックル２２０の本体２２１の一側には垂腰紐２１が結合する紐結合部２２２を備え，本体２２１の他側には雄バックル２１０の弾性片２１４を収納して係止突起２１５を固定させる収納部２２３が備わる。
【００５９】
本発明の第４の実施形態に係る雄バックル２１０の紐結合部２１２には，垂腰紐２１が挟まれる２列の貫通孔２１２ａが形成され，垂腰紐２１を貫通孔２１２ａに挿入し，その挿入方向とは反対の方向に垂腰紐２１を返す（図７ｂに示す調節具２３０側）ことで，腰紐２１を固定する固定具２１２ｂが備わる。
【００６０】
固定具２１２ｂは腰紐２１を貫通孔２１２ａに密着させられるよう回動自在であって，その固定具２１２ｂは本体２１１にヒンジ結合されている。貫通孔２１２ａを通過して回り出る垂腰紐２１は２列の貫通孔を有する調節具２３０に挟まれて整えられる。一方，雌バックル２２０の紐結合部２２２も雄バックル２１０の紐結合部２１２と同様に構成される。
【００６１】
（胴着装具の胴紐着装具）
なお，防具着装具のうち胴着装具は胴紐着用のための胴紐着装具と胴腰紐着用のための胴腰紐着装具に分かれるが，上記胴腰紐着装具は前述した面着装具とほぼ同様な構成であるため，胴腰紐着装具に関する詳細な説明は省略する。
【００６２】
（胴着装具）
図８ａは，本発明の第５の実施形態による防具着装具の胴着装具のうち胴紐に適用された胴紐着装具の斜視図であり，図８ｂは胴紐着装具の正面図であり，図８ｃは胴紐着装具の側面図であり，図８ｄは胴紐着装具の使用状態の概略を示す説明図である。
【００６３】
図８ａ〜図８ｄに示すように，本発明の第５の実施形態に係る胴着装具の胴紐着装具３１０は胴紐３１が連結され結合される紐結合部３１１と，該紐結合部３１１と連結され胴３０の前面上段に具備された留革３３と分離自在に嵌合されるボタン３１２を含んでなされる。
【００６４】
前記紐結合部３１１とボタン３１２は胴紐３１の捻れを防止しボタン３１２の回転が円滑になされ得るように相互独立して回転自在にヒンジ３１３を通じて結合される。
【００６５】
第５の実施形態において紐結合部３１１には貫通孔が形成され胴紐３１が通過し，貫通孔を通過して集まった２本の胴紐３１は図８ｄに示す結合リング３１５に螺着される。
【００６６】
上記留革３３と嵌合されるボタン３１２は楕円形よりなるが，この楕円形ボタン３１２は狭幅方向に留革３３を通過した後，広い方向から留革３３にかけて固定されることによって紐結合部３１１に固定された胴紐３１と留革３３を結合させる。もし，胴紐３１を留革３３から分離しようとする場合は前記ボタン３１２を狭幅方向から留革３３を通過させ分離させると良い。
【００６７】
一方，胴３０には胴紐３１以外も，胴３０を腰に固定させるための腰紐３２が具備されているが，この胴３０を修練者の腰に固定させるための胴腰紐着用具３２０は図４ｅに示したように，面着装具１００と同様になされて使われる。
【００６８】
（胴着装具）
図９ａは本発明の第６の実施形態による防具着装具の胴着装具のうち胴紐着装具とその使用状態の概略を示す説明図であり，図９ｂは図９ａのｄ部の各部拡大斜視図であり，図９ｃは図９ａのｅ部の拡大斜視図である。
【００６９】
図９ａ〜図９ｃに示したように，本発明の第６の実施形態による胴紐着装具３１０は相互ヒンジ３１３で結合される紐結合部３１１とボタン３１２を含んでなされるが，前記紐結合部３１１には胴紐３１が挟まれるように前後に貫通する貫通孔３１１ａの上部保持台に胴紐３１が挟まれうるよう上下を貫通する貫通孔３１１ｂがさらに形成されており，この貫通孔３１１ｂはその後部が一部切開され胴紐３１の挿入を容易できるようになっている。
【００７０】
前述した構成よりなる胴紐着装具３１０は図９ｃに示したように，紐結合部３１１の貫通孔３１１ａ，貫通孔３１１ｂを通過する紐が結び目がつくられて胴紐３１が紐結合部３１１に固定されうるので，図８ｄに示す別の結合リング３１５を必要としない。
【００７１】
前述した構成よりなる本実施の形態に係る面着装具１００と，垂着装具２００と，胴着装具のうち腰紐着用具３２０は雄バックル１１０，雄バックル２１０と雌バックル１２０，雌バックル２２０の結合により該当防具を修練者の身体に迅速かつ容易であり堅固に着装させられ，雄バックル１１０，２１０に具備された取外しボタン１１６，２１６を押圧することによって該当防具をユーザの身体から迅速かつ容易に分離させられるようになる。
【００７２】
また，本実施の形態に係る胴着用具のうち胴紐着装具３１０に具備されたボタン３１２を胴３０の留革３３に挟み込んだり，分離させたりする動作により胴３０を修練者の身体に容易に着装させ取外せる。
【００７３】
本発明に係る防具着装具は前述した実施例に限定されることではなく，同一又は類似する機能を果たせるよう適切な形態に変形され用いられる。例えば，上記雄バックル１１０，雄バックル２１０と雌バックル１２０，雌バックル２２０の形態は同様な機能を果たすように適切に変形でき，雄バックル１１０，雄バックル２１０に具備する取外しボタン１１６，取外しボタン２１６が雌バックル１２０，雌バックル２２０に具備でき，多様な方法で紐結合部１１２，紐結合部１２２，紐結合部２１２，紐結合部２２２，または紐結合部３１１各々に紐を結合可能であることは当然である。
【００７４】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【産業上の利用可能性】
【００７５】
本発明は，剣道防具の着装具に適用可能である。
【図面の簡単な説明】
【００７６】
【図１】従来に係る剣道防具のうち面の概略を示す正面図である。
【図２】従来に係る剣道防具のうち垂の概略を示す正面図である。
【図３】従来に係る剣道防具のうち胴の概略を示す正面図である。
【図４ａ】第１の実施の形態に係る防具着装具のうち面着装具の概略を示す分離斜視図である。
【図４ｂ】第１の実施の形態に係る面着装具の結合状態を示す結合斜視図である。
【図４ｃ】第１の実施の形態に係る面着装具に紐が一部挟まれた状態を示す背面斜視図である。
【図４ｄ】図４ｂのＡ−Ａ線断面の概略を示す断面図である。
【図４ｅ】第１の実施の形態に係る面着装具の使用状態の概略を示す説明図である。
【図５ａ】第２の実施形態に係る防具着装具のうち面着装具の概略を示す分離斜視図である。
【図５ｂ】第２の実施形態に係る面着装具の結合状態を示す結合斜視図である。
【図５ｃ】第２の実施形態に係る面着装具に紐が一部挟まれた状態を示した背面斜視図である。
【図５ｄ】図５ｂのＢ−Ｂ線断面の概略的な構成を示す断面図である。
【図５ｅ】第２の実施形態に係る面着装具の使用状態の概略を示す説明図である。
【図５ｆ】図５ｅのｃ部拡大図である。
【図５ｇ】図５ｅに示す面着装具が結合された状態を示す説明図である。
【図６ａ】第３の実施の形態に係る防具着装具のうち垂着装具の概略を示す分離斜視図である。
【図６ｂ】第３の実施の形態に係る垂着装具の結合状態を示す結合斜視図である。
【図６ｃ】第３の実施の形態に係る垂着装具の使用状態を示す説明図である。
【図７ａ】第４の実施の形態に係る防具着装具のうち垂着装具の分離斜視図である。
【図７ｂ】第４の実施の形態に係る垂着装具の結合状態を示す斜視図である。
【図８ａ】第５の実施の形態に係る防具着装具のうち胴紐着装具の概略を示す斜視図である。
【図８ｂ】第５の実施の形態に係る胴紐着装具の概略を示す正面図である。
【図８ｃ】第５の実施の形態に係る胴紐着装具の概略を示す側面図である。
【図８ｄ】第５の実施の形態に係る胴紐着装具の使用状態を示す説明図である。
【図９ａ】第６の実施の形態に係る防具着装具のうち胴紐着装具の概略的な構成とその使用状態を示す説明図である。
【図９ｂ】図９ａのｄ部拡大斜視図である。
【図９ｃ】図９ａのｅ部拡大斜視図である。
【符号の説明】
【００７７】
１０  ：  面
１１  ：  面紐
２０  ：  垂
２１  ：  腰紐
３０  ：  胴
３１  ：  胴紐
３２  ：  腰紐
３３  ：  留革
１００  ：  面着用具
１１０，２１０  ：  雄バックル
１１１，１２１，１３１，２１１，２２１  ：  本体
１１２，１２２，２１２，２２２，３１１  ：  紐結合部
１１３，２１３  ：  保持台
１１４，１３２，２１４，２１６  ：  弾性片
１１５，１３３，２１５  ：  係止突起
１１６，２１６  ：  取外しボタン
１１７，１２７  ：  開口部
１１８，１２８  ：  案内爪
１１９，１２９  ：  係止溝
１２０，２２０  ：  雌バックル
１２３  ：  収納部
１２４  ：  係止爪
１２９  ：  係止溝
１３０  ：  楔
２００  ：  垂着装具
２２０  ：  雌バックル
２２３  ：  収納部
２３０  ：  調節具
３１０  ：  胴紐着装具
３１２  ：  ボタン
３１３  ：  ヒンジ
３１５  ：  結合リング
３２０  ：  胴腰紐着装具
【図１】
2005211658.tif 000003
【図２】
2005211658.tif 000004
【図３】
2005211658.tif 000005
【図４ａ】
2005211658.tif 000006
【図４ｂ】
2005211658.tif 000007
【図４ｃ】
2005211658.tif 000008
【図４ｄ】
2005211658.tif 000009
【図４ｅ】
2005211658.tif 000010
【図５ａ】
2005211658.tif 000011
【図５ｂ】
2005211658.tif 000012
【図５ｃ】
2005211658.tif 000013
【図５ｄ】
2005211658.tif 000014
【図５ｅ】
2005211658.tif 000015
【図５ｆ】
2005211658.tif 000016
【図５ｇ】
2005211658.tif 000017
【図６ａ】
2005211658.tif 000018
【図６ｂ】
2005211658.tif 000019
【図６ｃ】
2005211658.tif 000020
【図７ａ】
2005211658.tif 000021
【図７ｂ】
2005211658.tif 000022
【図８ａ】
2005211658.tif 000023
【図８ｂ】
2005211658.tif 000024
【図８ｃ】
2005211658.tif 000025
【図８ｄ】
2005211658.tif 000026
【図９ａ】
2005211658.tif 000027
【図９ｂ】
2005211658.tif 000028
【図９ｃ】
2005211658.tif 000029